(57)【要約】【課題】加入者識別カード内の通信事業者の情報の書換に係るユーザの手間を低減する。【解決手段】加入者識別カードに記憶された通信事業者の情報に基づき特定される通信事業者の基地局を用いて通信可能な無線端末であって、通信事業者の情報を書換可能な加入者識別カードの装着部と、第１通信事業者を含む複数の通信事業者の各端末が受信可能な同報配信メッセージが前記第１通信事業者の基地局から受信されたときに、前記同報配信メッセージ中のメッセージ種別に応じて、前記装着部に装着された加入者識別カードに記憶された通信事業者の情報を前記第１通信事業者の情報に書き換える制御部とを含む。【選択図】図７
2017103640.tif 000002
【特許請求の範囲】
【請求項１】
加入者識別カードに記憶された通信事業者の情報に基づき特定される通信事業者の基地局を用いて通信可能な無線端末であって、
通信事業者の情報を書換可能な加入者識別カードの装着部と、
第１通信事業者を含む複数の通信事業者の各端末が受信可能な同報配信メッセージが前記第１通信事業者の基地局から受信されたときに、前記同報配信メッセージ中のメッセージ種別に応じて、前記装着部に装着された加入者識別カードに記憶された通信事業者の情報を前記第１通信事業者の情報に書き換える制御部と、
を含む無線端末。
【請求項２】
前記制御部は、前記メッセージ種別が第１通信事業者の情報への書換要求であり、且つ前記装着部に装着された加入者識別カードに前記第１通信事業者以外の通信事業者の情報が記憶されている場合に、通信事業者の情報の書換要否の問い合わせを送信し、前記送信後に受信される前記問い合わせに対する応答の内容に応じて、前記第１通信事業者の識別情報への書き換えを行う
請求項１に記載の無線端末。
【請求項３】
前記制御部は、前記第１の通信事業者に係る回線品質及び接続料金の少なくとも一方に基づいて判定された書換要否の判定結果を含む前記応答を受信する
請求項２に記載の無線端末。
【請求項４】
前記制御部は、前記第１通信事業者の情報への書換が前記無線端末のユーザのユーザポリシーに合致する場合に、前記第１通信事業者の情報への書換要の旨を含む前記応答を受信する
請求項２又は３に記載の無線端末。
【請求項５】
加入者識別カードに記憶された通信事業者の情報に基づき特定される通信事業者の基地局を用いて通信可能な無線端末が、
第１通信事業者を含む複数の通信事業者の各端末が受信可能な同報配信メッセージが前記第１通信事業者の基地局から受信されたときに、前記同報配信メッセージ中のメッセージ種別に応じて、通信事業者の情報を書換可能な加入者識別カードの装着部に装着された加入者識別カードに記憶された通信事業者の情報を前記第１通信事業者の情報に書き換える、
ことを含む無線端末の通信事業者情報の書換方法。
【請求項６】
第１通信事業者を含む複数の通信事業者の各端末が受信可能であり、且つ加入者識別カードに記憶された通信事業者の情報の書換要求がメッセージ種別に設定された同報配信メッセージを前記第１通信事業者の基地局から受信した無線端末からの問い合わせを受信する受信部と、
記憶部に記憶された、前記第１通信事業者に係る回線品質及び接続料金の少なくとも一方に基づき、加入者識別カードに記憶されている通信事業者の情報を前記第１通信事業者の情報に書き換えることの要否を判定する判定部と、
を含む判定装置。
【発明の詳細な説明】
【技術分野】
【０００１】
本発明は、無線端末及びその通信事業者情報の書換方法に関する。
【背景技術】
【０００２】
ＳＩＭカード（Subscriber Identity Module Card：以下、単に「ＳＩＭ」と表記）は
、無線端末（モバイル端末）の加入者を特定するための識別番号が記録されたＩＣ（Integrated Circuit）カードである。ＳＩＭには、移動通信サービスを提供する通信事業者（「モバイルキャリア」ともいう）を識別するプロファイル情報が記憶されている。
【０００３】
ＳＩＭは無線端末に備えられ、無線端末はＳＩＭに記憶されているプロファイル情報によって特定されるモバイルキャリアのネットワークを利用することができる。ＳＩＭに記憶されたプロファイル情報を書き換えることはできない。従って、無線端末は、プロファイル情報によって特定されるモバイルキャリア以外のネットワークを使用することはできない。
【先行技術文献】
【特許文献】
【０００４】
【特許文献１】国際公開第０７／１０８０８６号公報
【特許文献２】特開２０１２−１０５０７５号公報
【特許文献３】特表２０１３−５３５１４２号公報
【発明の概要】
【発明が解決しようとする課題】
【０００５】
海外渡航時など、ＳＩＭに記憶されていないプロファイル情報で特定されるモバイルキャリアのネットワークで無線端末を使用したい場合がある。この場合、ローミングによりモバイルキャリアを変更することで、無線端末の使用が可能となっていた。
【０００６】
しかし、ローミングを利用する際には、渡航前に、無線端末に備えられているＳＩＭを渡航先で使用可能なモバイルキャリアが記憶されたＳＩＭと交換したり、渡航先に対応するローミング設定を無線端末に施したりする作業が行われていた。このような作業は、手作業を伴う煩雑な作業であった。
【０００７】
本発明は、加入者識別カードに記憶された通信事業者の情報をユーザが変更する手間を低減可能な技術を提供することを目的とする。
【課題を解決するための手段】
【０００８】
本発明の一側面は、加入者識別カードに記憶された通信事業者の情報に基づき特定される通信事業者の基地局を用いて通信可能な無線端末である。無線端末は、通信事業者の情報を書換可能な加入者識別カードの装着部と、第１通信事業者を含む複数の通信事業者の各端末が受信可能な同報配信メッセージが前記第１通信事業者の基地局から受信されたときに、前記同報配信メッセージ中のメッセージ種別に応じて、前記装着部に装着された加入者識別カードに記憶された通信事業者の情報を前記第１通信事業者の情報に書き換える制御部とを含む。
【発明の効果】
【０００９】
本発明によれば、加入者識別カードに記憶された通信事業者の情報をユーザが変更する手間を低減することができる。
【図面の簡単な説明】
【００１０】
【図１】図１は、実施形態に係る通信システムの構成及び動作例を示す。
【図２】図２は、実施形態の作用効果の説明図である。
【図３】図３は、同報配信システム１０として使用可能な情報処理装置（コンピュータ）５０のハードウェア構成例を示す。
【図４】図４は、同報配信システム１０の機能を模式的に示す図である。
【図５】図５は、ＥＴＷＳに関して設定されるパラメータを説明する表である。
【図６】図６は、端末２０として動作可能な端末２０Ａのハードウェア構成例を示す図である。
【図７】図７は、図６に示した端末２０Ａの機能を模式的に示す。
【図８】図８は、端末２０Ａにおける処理例を示すフローチャートである。
【図９】図９は、Ｓ０８の処理の説明図である。
【図１０】図１０は、切替システム４０として動作する情報処理装置５０の機能を模式的に示す図である。
【図１１】図１１は、実施形態の適用例に係る通信システムの構成例を示す。
【図１２】図１２は、切替システム４０の記憶部４０１に記憶される情報の説明図である。
【図１３】図１３は、切替システム４０による判定結果を示す。
【図１４】図１４は、適用例における切替システム４０の処理例を示すフローチャートである。
【図１５】図１５は、ユーザポリシーのテーブルＴ１のデータ構造例を示す。
【図１６】図１６は、モバイルキャリア情報（トラフィック状況：速度）のテーブルＴ２のデータ構造例を示す。
【図１７】図１７は、モバイルキャリア情報（トラフィック状況：つながり易さ）のテーブルＴ３のデータ構造例を示す。
【図１８】図１８は、モバイルキャリア情報（コスト）のテーブルＴ４のデータ構造例を示す。
【発明を実施するための形態】
【００１１】
以下、図面を参照して実施形態について説明する。実施形態の構成は例示であり、実施形態の構成に限定されない。
【００１２】
実施形態では、加入者識別カードに記憶された通信事業者の情報に基づき特定される通信事業者の基地局を用いて通信可能な無線端末及びその通信事業者情報の書換方法について説明する。
【００１３】
無線端末は、通信事業者の情報を書換可能な加入者識別カードの装着部と、制御部とを含む。制御部は、同報配信メッセージが前記第１通信事業者の基地局から受信されたときに、当該同報配信メッセージ中のメッセージ種別に応じて、装着部に装着された加入者識別カードに記憶された通信事業者の情報を前記第１通信事業者の情報に書き換える。同報配信メッセージは、第１通信事業者を含む複数の通信事業者の各端末が受信可能なメッセージである。
【００１４】
通信事業者の情報を書換可能な加入者識別カードは、例えば、ｅＳＩＭ（Embedded Subscriber Identity Module）と呼ばれるＳＩＭカードである。ｅＳＩＭは、モバイルキャ
リア（通信事業者）のプロファイル情報を記憶しており、プロファイル情報は、リモート操作によって動的に書き換えることができる。よって、ｅＳＩＭを含む端末は、書換によって使用するモバイルキャリアを変更することができる。
【００１５】
装着部は、加入者識別カードが着脱自在に装着されるものであっても、加入者識別カードが半田付けなどによって固定的に装着されるものであっても良い。前者は、例えば、加入者識別カードが着脱自在なホルダ及びコネクタを含んだ回路基板、回路チップ、パッケージなどである。後者は、加入者識別カードが半田付けなどで固定配置される回路基板、回路チップ、パッケージなどである。
【００１６】
同報配信メッセージは、例えば、ＣＢＳ（Cell Broadcast Service：3GPP TS 23.041），ＥＴＷＳ（Earthquake and Tsunami Warning System：3GPP TS 22.168），ＰＷＳ（Public Warning System：3GPP TS 22.268）などの、同報配信システムに基づくメッセージである。同報配信システムに基づき、各基地局は、同報配信メッセージを自身のセルに同報配信（ブロードキャスト）する。ＣＢＳは、携帯電話網を用いた警報配信システムであり、パケット通信網とは別に存在する、同報配信のためのシステムである。ＰＷＳは、ＣＢＳをベースとする自然災害や、事故などの人災を含む様々な災害を報道配信する警報配信システムである。ＥＴＷＳは、地震及び津波の警報配信システムである。また、同報配信システムとしては、集中豪雨警報などを同報配信するＣＭＡＳ（Commercial Mobile Alert System）がある。
【００１７】
実施形態では、ＥＴＷＳを同報配信システムの一例として説明する。同報配信システムを用いてブロードキャストされる同報配信メッセージは、端末が備えるＳＩＭ内の情報と関係なく、各端末にて受信することができる。実施形態では、ｅＳＩＭ内の情報の書換要否の判断の契機（トリガ）となる情報を、同報配信システムを用いて配信する。
【００１８】
制御部は、同報配信メッセージのメッセージ種別に応じて、装着部に装着された加入者識別カードに記憶された通信事業者の情報を前記第１通信事業者の情報に書き換える処理を行う。例えば、メッセージ種別が、加入者識別カード内の情報の書換要否の判断契機を示す場合に、書換要否の判断が行われる。
【００１９】
上記制御部は、前記メッセージ種別が第１通信事業者の情報への書換要求であり、且つ前記装着部に装着された加入者識別カードに前記第１通信事業者以外の通信事業者の情報が登録されている場合に、以下のようにしても良い。すなわち、制御部は、通信事業者の情報の書換要否の問い合わせを送信し、前記送信後に受信される前記問い合わせに対する応答の内容に応じて、前記第１通信事業者の情報への書き換えを行う。第１通信事業者の情報は、同報配信メッセージ中に含まれていたものを用いても良く、同報配信メッセージの送信元以外の装置から供給されるものを用いても良い。例えば、問い合わせ先において書換要と判断された場合に、問い合わせ先から第１通信事業者の情報が供給されるようにしても良い。
【００２０】
上記制御部は、第１の通信事業者に係る回線品質及び接続料金の少なくとも一方に基づいて判定された書換要否の判定結果を含む前記応答を受信する、ようにしても良い。また、上記制御部は、前記第１通信事業者の情報への書換が前記無線端末のユーザのユーザポリシーに合致する場合に、前記第１通信事業者の情報への書換要の旨を含む前記応答を受信するようにしても良い。この場合、通信事業者の切替によって、無線端末が無線端末のユーザのより所望する環境又は条件で通信を行うことができる。
【００２１】
＜システム構成＞
図１は、実施形態に係る移動通信システムの構成及び動作例を示す。移動通信システムは、同報配信システム１０と、同報配信システムと図示しないネットワークを介して接続された基地局１１及び基地局１２とを含む。さらに、移動通信システムは、無線端末（端末）２０と、端末２０に装着されたｅＳＩＭ３０と、モバイルキャリア切替システム（以下、「切替システム」とも表記）４０とを含む。切替システム４０は、「判定装置」の一
例である。
【００２２】
同報配信システム１０は、例えばＥＴＷＳの規格に基づく同報配信用の信号（ＥＴＷＳ信号と呼ぶ）を送信する。同報配信システム１０は、メッセージ種別が「プロファイル書換要求」であるＥＴＷＳ信号を送信する。ＥＴＷＳ信号の送信周期、送信頻度は適宜設定可能である。例えば、ＥＴＷＳ信号は、一定周期で送信されても良い。例えば、６０秒毎にＥＴＷＳ信号が送信される。但し、周期は、６０秒より短くても長くてもよく、数秒〜数十秒，数分などで設定し得る。
【００２３】
ＥＴＷＳ信号は、図示しないネットワークを介して各基地局（基地局１１，基地局１２）に到達する。基地局１１は、第１の通信事業者の一例であるモバイルキャリアＡ（以下単に「キャリアＡ」と表記）が運用する基地局である。基地局１２は、第２の通信事業者の一例であるモバイルキャリアＢ（以下単に「キャリアＢ」と表記）が運用する基地局である。キャリアＡ及びキャリアＢは、「複数の通信事業者」の一例である。
【００２４】
各基地局に対しては、例えば、メッセージ種別“プロファイル書換要求”であるＥＴＷＳ信号に対する処理を行うか否かが設定される。例えば、各基地局に対し、プロファイル書換要求のＥＴＷＳ信号の処理を行うか否かの事前設定がなされ、事前設定された基地局が自局のセル又はセクタにプロファイル書換要求を同報配信（ブロードキャスト）する。
【００２５】
或いは、プロファイル書換要求にキャリアの識別情報が含まれ、各基地局は、キャリアの識別情報が自局のキャリアの識別情報に合致する場合に、プロファイル書換要求の同報配信を行う。上記二つの方法、或いは二つの方法以外の方法を用いて、プロファイル書換要求を受信する基地局のうち、同報配信を行う基地局を制御することができる。
【００２６】
図１に示す例では、同報配信システム１０は、キャリアＡ（基地局１１）向けのプロファイル書換要求と、キャリアＢ（基地局１２）向けのプロファイル書換要求とを所定周期で送信する（図１＜１＞，＜２＞参照）。よって、基地局１１及び基地局１２のそれぞれは、一定の周期でプロファイル書換要求を自局のセル又はセクタに同報配信する（図１＜３＞，＜４＞参照）。
【００２７】
端末２０には、ｅＳＩＭ３０が装着されている。ｅＳＩＭ３０は、通信事業者の情報の一例として、キャリアＢのプロファイル情報を記憶している。このため、端末２０は、キャリアＢの基地局１２に接続して、ネットワークを利用している。
【００２８】
端末２０は、基地局１１から同報配信されたプロファイル書換要求を受信して受け付けたことを契機として、ｅＳＩＭ３０にアクセスし、ｅＳＩＭ３０に記憶されたプロファイル情報（キャリアＢの情報）を読み出す（図１＜５＞，＜６＞）。
【００２９】
端末２０は、プロファイル書換要求（同報配信メッセージ）中のプロファイル情報と、ｅＳＩＭ３０から読み出したプロファイル情報とを対比する。このとき、プロファイル情報が一致しない（モバイルキャリアが異なる）場合には、処理がモバイルキャリアの切替要否判定に進む。これに対し、両者が一致する場合には、特に何も行われない。
【００３０】
端末２０は、切替要否判定に進んだ場合には、図示しないネットワークに接続された切替システム４０に対し、切替判定要求（「通信事業者の情報の書換要否の問い合わせ」の一例）を送信する。切替判定要求は、ＳＭＳ（Short Message System）メッセージ（いわゆるショートメール）で切替システム４０へ送信される（図１＜７＞）。切替判定要求は、現キャリアの識別情報と、切替候補のキャリアの識別情報とを含むことができる。
【００３１】
切替システム４０は、切替先（切替候補）のモバイルキャリア（通信事業者）への切替要否を判定するための情報を記憶している。切替システム４０は、切替要否判定用情報として、例えば、エリア毎、時間毎の通信品質（速度、つながり易さなど）や接続料金（回線使用料）など(「モバイルキャリア情報」と呼ぶ)と、各端末の契約プラン(「ユーザポ
リシー」と呼ぶ)を保持している。
【００３２】
切替システム４０は、モバイルキャリア情報及びユーザポリシーを元に、端末２０からの切替判定要求に含まれる、エリア情報（端末２０の在圏エリア）、切替可能なモバイルキャリア（キャリアＡ）、発信時刻などを照合し、切替要否を判定する。切替先（キャリアＡ）への切替が好ましい場合には、切替システム４０は、切替先への切替要と判定し、そうでなければ切替不要と判定する。
【００３３】
切替システム４０は、切替判定結果を含む切替判定通知を、「通信事業者の情報の書換要否の問い合わせに対する応答」として、切替判定要求の送信元の端末２０に送信する（図１＜８＞）。図１に示す例では、切替判定通知は、キャリアＡへ切替要との判定結果を含む。判定結果は、「応答の内容」の一例である。切替システム４０と端末２０との間のやりとりは、ＳＭＳ（Short Message System）メッセージを用いて行う。ＳＭＳの使用により、端末２０及び切替システム４０を電話番号で紐づけることができる。但し、両者間のやりとりはＳＭＳ以外のメッセージ交換方式で行われても良い。
【００３４】
端末２０は、切替要との判定結果を受信すると、ｅＳＩＭ３０にアクセスし、プロファイル情報の更新（書換）を行う。すなわち、端末２０は、プロファイル書換要求に含まれていたキャリアＡのプロファイル情報で、ｅＳＩＭ３０中のプロファイル情報を書き換える（上書きする）。当該書換は、例えば、プロファイル情報中のキャリアＢの識別子（ＩＤ）を、切替先のキャリアＡの識別子（ＩＤ）に変更することで行われる。書換は、例えば、ｅＳＩＭ３０に対する切替先の情報の上書きによってなされる。但し、ｅＳＩＭが、キャリアＢの情報とキャリアＡの情報とを記憶可能であり、書換が、切替先の情報を有効に設定し、切替元の情報を無効に設定する（マスクする）ことでなされても良い。このようにプロファイルの情報の書換（変更）、すなわち、キャリアの切替が自動で行われる。これにより、端末２０のユーザが、ｅＳＩＭのプロファイル情報を書き換える手間を低減することができる。
【００３５】
プロファイル情報の書換（キャリアの切替）によって、端末２０は、キャリアＡの基地局１１を用いて通信可能となる。但し、端末２０は、キャリアＢの基地局１２を使用できなくなる。もっとも、キャリアＢの通信エリアでキャリアＢへの切替要求を受信できるので、キャリアＢに切り戻すことも可能である。
【００３６】
図２は、実施形態の作用効果の説明図である。同報配信システムは、メッセージ種別“プロファイル書換要求”のＥＴＷＳ信号を送信する。キャリアＡへのプロファイル書換要求は、キャリアＡの通信エリア（基地局１１のセル）に入った端末２０が速やかにプロファイル書換要求を受信できるように、一定間隔で送信される。
【００３７】
ＥＴＷＳでは、同報配信先として、特定の端末ではなく、同報配信のエリアにある基地局が指定される。指定された基地局は、ＥＴＷＳ信号をセル又はセクタに同報配信する。端末２０は、所属先のモバイルキャリアに関係なく、同報配信メッセージを受信することができる。従って、図１を用いて説明したように、キャリアＢのプロファイル情報が記憶されたｅＳＩＭ３０を有する端末２０において、キャリアＢ向けのＥＴＷＳ信号（プロファイル書換要求のメッセージ）を受信することが可能である。
【００３８】
そして、図１に示したように、キャリアＡへの切替要否が判定され、切替要であれば、
ｅＳＩＭ３０のプロファイル情報の更新が行われて、端末２０がキャリアＡの端末となる。これによって、キャリアＢの基地局１２を使用して通信していた端末２０は、キャリアＡの通信エリア（セル）内に同報配信されるプロファイル書換要求の受付を契機に、キャリアＡの端末に遷移することができる。
【００３９】
実施形態によれば、通信事業者の情報を書換可能な加入者識別カード（ｅＳＩＭ）及び同報配信システム（ＥＴＷＳ）の特徴を活用し、端末２０のユーザが意識することなく、キャリアを自動的に変更することができる。すなわち、事業者の情報の書換に係るユーザの手間が低減される。これにより、ユーザに有利な（ユーザが所望する）キャリアを複数のキャリアから選択して通信を行うことができる。以下、上述した通信システムの詳細について説明する。
【００４０】
＜同報配信システム＞
図３は、同報配信システム１０として使用可能な情報処理装置（コンピュータ）５０のハードウェア構成例を示す。同報配信システム１０として、例えば、パーソナルコンピュータ（ＰＣ），ワークステーション（ＷＳ）のような汎用コンピュータを適用できる。或いは、サーバマシンのような専用のコンピュータを適用することもできる。
【００４１】
図３に示すように、情報処理装置５０は、例えば、バスを介して相互に接続された、Central Processing Unit（ＣＰＵ）５１と、主記憶装置５２と、補助記憶装置５３と、入
力装置５４と、出力装置５５と、通信インタフェース（通信Ｉ／Ｆ）５６とを含む。
【００４２】
主記憶装置５２は、プログラムの展開領域，ＣＰＵ２１の作業領域，データやプログラムの記憶領域又はバッファ領域として使用される。主記憶装置５２は、例えばRandom Access Memory（ＲＡＭ），或いはＲＡＭとRead Only Memory（ＲＯＭ）との組み合わせで形成される。
【００４３】
補助記憶装置５３は、例えば、ハードディスクドライブ（ＨＤＤ），Solid State Drive（ＳＳＤ），フラッシュメモリ，Electrically Erasable Programmable Read-Only Memory（ＥＥＰＲＯＭ）などの不揮発性記憶媒体で形成される。補助記憶装置５３は、データやプログラムの記憶領域として使用される。
【００４４】
入力装置５４は、情報やデータの入力に使用される。入力装置５４は、例えば、キー，ボタン，マウス等のポインティングデバイス，タッチパネルなどである。出力装置５５は、データや情報を出力する。出力装置５５は、例えば、ディスプレイ，プリンタなどである。
【００４５】
通信インタフェース５６は、ネットワークに接続され、基地局向けのＥＴＷＳ信号を送信するインタフェース回路である。通信インタフェース５６として、例えば、Local Area
Network（ＬＡＮ）カードやネットワークインタフェースカード（ＮＩＣ）と呼ばれる通信インタフェースカードが適用される。
【００４６】
ＣＰＵ５１は、プロセッサの一例であり、補助記憶装置５３に記憶されたプログラムを主記憶装置５２にロードして実行する（主記憶装置５２に含まれるＲＯＭに記憶されたプログラム（ファームウェア）を実行する場合もある）。これによって、ＣＰＵ５１は、情報処理装置５０を同報配信システム１０として動作させる。
【００４７】
なお、ＣＰＵ５１は、複数のＣＰＵから形成されてもよく、複数のコアを備える構成を有していても良い。また、ＣＰＵ５１の代わりにＤＳＰ（Digital Signal Processor）が用いられてもよく、ＣＰＵ５１の代わりにＣＰＵとＤＳＰとの組み合わせが用いられても
良い。
【００４８】
ＣＰＵ５１のプログラム実行で行われる処理の少なくとも一部は、ハードウェア或いはハードウェアとソフトウェアとの組み合わせにより実行されるようにしても良い。ハードウェアは、Field Programmable Gate Array（ＦＰＧＡ）のようなプログラマブルロジッ
クデバイス（ＰＬＤ）や、集積回路（ＩＣ，ＬＳＩ，Application Specific Integrated Circuit（ＡＳＩＣ））を含む。また、ハードウェアとソフトウェアとの組み合わせとし
ては、プロセッサおよびメモリが電気／電子回路と組み合わせられてワンチップ化されたシステムＬＳＩが挙げられる。
【００４９】
図４は、同報配信システム１０の機能を模式的に示す図である。図４において、図３に示した情報処理装置５０の入力装置５４及び出力装置５５は、同報配信システム１０のユーザに対するユーザインタフェース（ＵＩ）を提供する。ＵＩは、プロファイル書換要求の入力部１０１として機能する。
【００５０】
情報処理装置５０のＣＰＵ５１は、プログラムを実行することによって制御部１０２として動作する。ＣＰＵ５１（制御部１０２）は、プロファイル書換要求を含むＥＴＷＳの同報配信メッセージの生成部１０３として動作する。
【００５１】
情報処理装置５０の通信ＩＦ５６は、プロファイル書換要求を含むＥＴＷＳの同報配信メッセージを基地局向けに送信する、プロファイル書換要求の配信部１０４として動作する。
【００５２】
図５は、ＥＴＷＳに関して設定されるパラメータを説明する表である。同報配信メッセージに関して設定されるパラメータは、“Message Identifier”（メッセージＩＤ）と、“PLMNidentity”（キャリア識別子）と、“Repetition Period”（再送間隔）と、“Number of Broadcasts Requested”（再送回数）とを含む。
【００５３】
プロファイル書換要求の同報配信メッセージは、メッセージＩＤを含み、メッセージＩＤの値として、「プロファイル書換要求」を示す値が設定される。メッセージＩＤは、同報配信メッセージのメッセージ種別を示す情報の一例である。
【００５４】
キャリア識別子は、モバイルキャリア（通信事業者）の識別情報である。キャリア識別子は、ＭＣＣ（国番号）＋ＭＮＣ（事業者コード）で形成される。同報配信メッセージには、キャリア識別子として、切替先のキャリアのキャリア識別子が含まれる。
【００５５】
再送間隔、及び再送回数として、例えば、プロファイル書換要求の同報送信エリア（セル）に入ってきた端末が速やかにプロファイル書換要求を受信できるように考慮された値が設定される。
【００５６】
＜端末＞
図６は、端末２０として動作可能な端末２０Ａのハードウェア構成例を示す図である。端末２０Ａは、情報処理装置５０と同様の構成を有するので、共通する構成については同一の符号を付して説明を省略する。
【００５７】
図６に示す例において、端末２０Ａは、バスを介して相互に接続されたＣＰＵ５１と、主記憶装置５２と、補助記憶装置５３と、入力装置５４と、出力装置５５と、無線通信回路２０１と、ｅＳＩＭ３０の装着部２０２とを含む。
【００５８】
無線通信回路２０１は、ベースバンド（ＢＢ）回路と、ＲＦ（Radio Frequency）回路
と、送受信アンテナとを含む。ＢＢ回路は、データとベースバンド信号（ＢＢ信号）との変換処理を行う。ＲＦ回路は、ＢＢ信号と無線信号との間の変換処理を行う。無線通信回路２０１は、例えば、ＤＳＰ,ＦＰＧＡ（ＰＬＤ）,集積回路の少なくとも１つを用いて形成し得る。
【００５９】
端末２０ＡのＣＰＵ５１で生成されたデータは、ＣＰＵ５１での符号化の後にＢＢ回路で変調されてＢＢ信号となる。ＲＦ回路は、ＢＢ信号をアナログ信号に変換し、さらに無線周波数の無線信号に変換し、送受信アンテナから放射する。無線信号は、基地局に受信される（上り送信）。送受信アンテナから受信される基地局からの無線信号（同報配信メッセージ）は、ＲＦ回路でアナログ信号に変換されＢＢ信号に変換される。ＢＢ回路は、ＢＢ信号に対するチャネル推定及び復調処理を行う。復調された信号に対する復号処理をＣＰＵ５１が行い、データが得られる（下り受信）。
【００６０】
装着部２０２は、例えば、ｅＳＩＭ３０を収容するホルダと、ｅＳＩＭ３０をＣＰＵ５１とバスを介して電気的に接続するコネクタとを含む。ｅＳＩＭ３０は、装着部２０２に対して着脱自在に装着される。装着部２０２に対するｅＳＩＭ３０の装着により、ＣＰＵ５１は、ｅＳＩＭ３０に記憶された情報を読み出したり、ｅＳＩＭ３０に記憶された情報を書き換えたりすることができる。
【００６１】
図７は、図６に示した端末２０Ａの機能を模式的に示す。端末２０Ａは、ＣＰＵ５１がプログラムを実行することによって、モバイルキャリア切替の制御部２０３を含む制御部１０２として動作する。
【００６２】
また、端末２０の無線通信回路２０１は、基地局１１及び基地局１２のそれぞれからの同報配信メッセージを受け付ける同報配信の受付部２０１Ａとして動作する。受付部２０１Ａで受け付けられた同報配信メッセージ（プロファイル書換要求）は、切替制御部２０３に供給される。
【００６３】
また、無線通信回路２０１は、切替システムインタフェース（切替システムＩＦ）２０１Ｂとして動作する。切替システムＩＦ２０１Ｂは、切替制御部２０３が生成した問い合わせ（切替判定要求）を切替システム４０へ送信する。また、切替システムＩＦ２０１Ｂは、問い合わせの応答（切替判定通知）を切替システム４０から受信して切替制御部２０３に渡す。
【００６４】
また、ｅＳＩＭ３０の装着部２０２及びＣＰＵ５１は、ｅＳＩＭインタフェース（ｅＳＩＭ−ＩＦ）２０２Ａとして動作する。ｅＳＩＭ−ＩＦ２０２Ａは、装着部２０２に装着されたｅＳＩＭ３０内の記憶媒体（図示せず）に記憶されているプロファイル情報を読み出して切替制御部２０３に供給する。また、ｅＳＩＭ−ＩＦ２０２Ａは、切替制御部２０３から得た切替先のプロファイル情報（キャリア識別子）をｅＳＩＭ３０に書き込む。
【００６５】
図８は、端末２０Ａにおける処理例を示すフローチャートである。図８に示す処理例は、受付部２０１ＡがＥＴＷＳの同報配信メッセージを受信する（Ｓ０１）ことによって開始される。
【００６６】
Ｓ０２では、切替制御部２０３（ＣＰＵ５１）は、同報配信メッセージ中のメッセージＩＤを参照する。Ｓ０３では、切替制御部２０３（ＣＰＵ５１）のメッセージＩＤ（メッセージ種別）が「プロファイル書換要求」か否かを判定する。このとき、メッセージＩＤが「プロファイル書換要求」でない場合には（Ｓ０３,Ｎｏ）、図８の処理（モバイルキ
ャリア切替処理）は終了する。これに対し、メッセージＩＤが「プロファイル書換要求」である場合には（Ｓ０３,Ｙｅｓ）、処理がＳ０４に進む。
【００６７】
Ｓ０４では、切替制御部２０３（ＣＰＵ５１）は、ｅＳＩＭ３０が端末２０Ａに搭載（装着）されているか否かを判定する。ｅＳＩＭ３０が端末２０Ａに搭載（装着）されていない場合には（Ｓ０４,Ｎｏ）、図８の処理が終了する。ｅＳＩＭ３０が端末２０Ａに搭
載（装着）されている場合には（Ｓ０４,Ｙｅｓ）、処理が０５に進む。
【００６８】
Ｓ０５では、切替制御部２０３（ＣＰＵ５１）は、端末２０Ａの位置が基地局との通信エリア内（圏内）か否かを判定する。端末２０Ａの位置が基地局との通信エリア外（圏外）である場合には（Ｓ０５,Ｎｏ）、図８の処理が終了する。端末２０Ａの位置が基地局
との通信エリア内（圏内）である場合には（Ｓ０５,Ｙｅｓ）、処理がＳ０６に進む。な
お、Ｓ０３,Ｓ０４,Ｓ０５の処理の順序は入れ替わっても良い。
【００６９】
ｅＳＩＭ−ＩＦ２０２Ａとして動作するＣＰＵ５１は、Ｓ０６〜Ｓ０８の処理を行う。但し、Ｓ０６〜Ｓ０８の処理は、ＣＰＵ５１以外のプロセッサや回路によって行われても良い。
【００７０】
Ｓ０６では、ｅＳＩＭ−ＩＦ２０２Ａは、同報配信メッセージ中のキャリア識別子（PLMNidentity）を参照する。Ｓ０７では、ｅＳＩＭ−ＩＦ２０２Ａは、ｅＳＩＭ３０内に設定されているＩＭＳＩ（International Mobile Subscriber Identity）を参照する。ＩＭＳＩは、ユーザの識別番号である。Ｓ０８では、ｅＳＩＭ−ＩＦ２０２Ａは、PLMNidentityとＩＭＳＩとが一致するか否かを判定する。
【００７１】
図９は、Ｓ０８の処理の説明図である。図９に示すように、ＩＭＳＩは、ＭＣＣ（国番号）と、ＭＮＣ（事業者コード）と、ＭＳＩＮ（加入者識別コード）とを含んでいる。一方、PLMNidentityは、ＭＣＣ（国番号）と、ＭＮＣ（事業者コード）とを含んでいる。ｅＳＩＭ−ＩＦ２０２Ａは、ＭＣＣ及びＭＮＣを対比して両者が一致するか否かを判定する。
【００７２】
ＭＣＣ及びＭＮＣが一致する場合には（Ｓ０８,Ｙｅｓ）、図８の処理は終了する。同
報配信メッセージで特定される切替先と現在のキャリアとが同一であるので切替を要しないからである。これに対し、ＭＣＣ及びＭＮＣが一致しない場合には（Ｓ０８,Ｎｏ）、
処理がＳ０９に進む。
【００７３】
Ｓ０９に処理が進む場合、切替制御部２０３は、切替システム４０に宛てた問い合わせ（切替判定要求）のメッセージを生成し、切替システムＩＦ２０１Ｂに供給する。Ｓ０９において、切替システムＩＦ２０１Ｂは、切替判定要求を切替システムに宛てて送信する。切替システムＩＦ２０１Ｂは、問い合わせに対する応答（切替判定通知）を受信すると、切替制御部２０３に供給する。
【００７４】
Ｓ１０において、切替制御部２０３は、切替判定通知中の判定結果が切替要を示すか切替不要を示すかを判定する。判定結果が切替不要を示す場合、図８の処理が終了する。これに対し、判定結果が切替要の場合には、処理がＳ１１に進む。Ｓ１１では、ｅＳＩＭ−ＩＦ２０２Ａは、PLMNidentityに基づいて、ｅＳＩＭ３０のプロファイル情報を更新する。
【００７５】
すなわち、ｅＳＩＭ−ＩＦ２０２Ａは、ｅＳＩＭ３０内のＭＣＣ及びＭＮＣ（キャリア識別子）を、PLMNidentityで記載のＭＣＣ及びＭＮＣ（キャリア識別子）に書き換える。これによって、端末２０Ａが利用可能なキャリアが切り替えられる。
【００７６】
＜切替システム＞
切替システム４０として、例えば、図３に示した情報処理装置５０のハードウェア構成を適用することができる。補助記憶装置５３や主記憶装置５２の少なくとも一方には、情報処理装置５０が切替システムとして動作するためのプログラム及びプログラム実行に際して使用されるデータが記憶されている。
【００７７】
図１０は、切替システム４０として動作する情報処理装置５０の機能を模式的に示す図である。情報処理装置５０の主記憶装置５２及び補助記憶装置５３の少なくとも一方は、ユーザポリシー及びモバイルキャリア情報を記憶した記憶部４０１として機能する。
【００７８】
また、情報処理装置５０のＣＰＵ５１は、プログラムの実行によって、ユーザポリシーの検索部４０２Ａと、モバイルキャリア切替の判定部４０２Ｂとを含んだ制御部４０２として動作する。
【００７９】
さらに、情報処理装置５０の通信インタフェース５６は、切替判定要求のＳＭＳメッセージの受付部４０３Ａと、切替判定通知のＳＭＳメッセージを送信する送信部４０３Ｂとを含むインタフェース部（ＩＦ部）４０３として動作する。受付部４０３Ａは「受信部」の一例である。
【００８０】
切替システム４０において、受付部４０３Ａは、端末２０（２０Ａ）から送信されたＳＭＳメッセージ（切替判定要求）を受信する。記憶部４０１において、ユーザポリシーは、ユーザの電話番号と関連づけて記憶されている。検索部４０２Ａは、切替判定要求が受け付けられた場合に、ＳＭＳメッセージに含まれた発信元の電話番号（端末２０の電話番号）と関連するユーザポリシーを記憶部４０１から検索する。
【００８１】
ユーザポリシーが取得されない場合には、送信部４０３Ｂから切替不要の判定結果を含むＳＭＳメッセージ（切替判定通知）が送信される。ユーザポリシーが取得された場合には、検索部４０２Ａは、ユーザポリシーを判定部４０２Ｂに供給する。
【００８２】
判定部４０２Ｂは、検索部４０２Ａから得られたユーザポリシーと、記憶部４０１から読み出すモバイルキャリア情報とに基づいて、キャリアの切替要否を判定する。判定結果は、送信部４０３Ｂに供給される。送信部４０３Ｂは、判定結果を含むＳＭＳメッセージ（切替判定通知）を、問い合わせの送信元の端末２０（２０Ａ）に送信する。
【００８３】
＜適用例＞
図１１は、実施形態の適用例に係る通信システムの構成例を示す。適用例として、ＭＶＮＯ（Mobile Virtual Network Operator：仮想移動体通信事業者）が複数のキャリア（
キャリアＡ及びＢを一例として挙げる）の回線を切り替える処理について説明する。
【００８４】
図１１において、通信システムは、キャリアＡの無線網（回線）６０と、キャリアＢの無線網（回線）７０と、ＭＶＮＯのネットワークであるＭＶＮＯ網８０とを含む。ＭＶＮＯ網８０は、ＰＯＩ（Point Of Interface：関門交換機）１１ａを介して無線網６０と接続されている。また、ＭＶＮＯ網８０は、ＰＯＩ１２ｂを介して無線網７０を接続されている。
【００８５】
無線網６０は、キャリアＡの基地局１１と、無線網６０のトラフィックを計測する交換機１１ａとを含む。無線網７０は、キャリアＢの基地局１２と、無線網７０のトラフィックを計測する交換機１２ａとを含む。交換機１１ａはＰＯＩ１１ｂを介してＭＶＮＯ網８のゲートウェイ（ＧＷ）８１ａと接続されている。交換機１２ａはＰＯＩ１２ｂを介してＭＶＮＯ網８のゲートウェイ（ＧＷ）８１ｂと接続されている。
【００８６】
ＧＷ８１ａ及びＧＷ８１ｂは、ＨＬＲ／ＨＳＳ（Home Location Register/Home Subscriber Server）８２と接続されている。ＨＬＲ／ＨＳＳ８２は、ユーザの情報と、ユーザ
（端末２０）の位置情報を管理している。
【００８７】
ＭＶＮＯ網８０は、これまでに説明した同報配信システム１０と、切替システム４０とを含んでいる。同報配信システム１０は、ＨＬＲ／ＨＳＳ８２に登録されたユーザの情報（プロファイル情報）を元に、モバイルキャリア切替要求の同様配信メッセージを生成し、各基地局１１,１２向けに送信することができる。
【００８８】
切替システム４０は、交換機１１ａ,交換機１１ｂのそれぞれから、無線網６０（キャ
リアＡの回線）のトラフィック状況、及び無線網７０（キャリアＢの回線）のトラフィック情報を、受け取ることができる。また、切替システム４０は、ＭＶＮＯ網８０にある、無線網６０及び無線網７０の接続料を管理する接続料管理システム８３から、使用料金（接続料）に係る情報を得ることができる。
【００８９】
切替システム４０は、各ユーザが事前に設定したユーザポリシーを記憶しており、ユーザポリシーとトラフィック状況や接続料金（使用料金）のようなモバイルキャリア情報とを用いて、キャリア切替の要否を判定する。トラフィック状況は、無線端末の通信環境の情報の一例であり、接続料金は、無線端末の通信条件の情報の一例である。但し、通信環境と通信条件とに明確な区別はない。
【００９０】
図１１の例では、切替システム４０とは別に、回線切り替え用のサーバ４０ａが用意されている。サーバ４０ａは、切替システム４０における切替要との判定結果に基づいて、端末２０にキャリアの切替指示を送ることができる。但し、サーバ４０ａを設けることは必須ではなく、切替システム４０から端末２０に切替判定通知が送られるようにしても良い。
【００９１】
図１１における動作例は、以下の通りである。前提として、端末２０は、「キャリアＡ」を選択している（基地局１１と接続している）。ユーザは事前にＭＶＮＯに「ユーザポリシー」を申請しており、ユーザポリシー情報が、切替システム４０の記憶部４０１に記憶されている。キャリアＡの交換機１１ａ，キャリアＢの交換機１２ａのそれぞれから、切替システム４０に対し、場所及び時間別の「トラフィック状況」の情報が提供されている。また、接続料管理システム８３から、キャリアＡ及びキャリアＢに係る場所及び時間別の「接続料金（使用料金）」の情報が提供されている。
【００９２】
同報配信システム１０からの「キャリアＢ」向けのプロファイル書換要求が配信され、端末２０で受信される（図１１の（１））。端末２０は、図８に示した処理を行い、問い合わせを実施するか否かの判定を行う（図１１の（２））。
【００９３】
端末２０は、切替システム４０から切替要否の判定結果を得るため、問い合わせ（切替判定要求）を切替システム４０に送る（図１１の（３））。切替システム４０は、「ユーザポリシー」と各キャリアＡ，Ｂの「トラフィック状況」及び「接続料金」に基づき、端末２０についてキャリアＡからキャリアＢへの切替を要するか否かを判定する。切替要と判定した場合には、切替判定通知をサーバ４０ａに送り（図１１の（４））、サーバ４０ａが切替指示を端末２０へ送る（図１１の（５））。端末２０は、切替指示に基づき、ｅＳＩＭ３０のプロファイル情報を書き換えて、キャリアＢの基地局１２に接続する（基地局１１との接続は切断される）。
【００９４】
図１２は、切替システム４０の記憶部４０１に記憶される情報の説明図である。情報は、例えば、１以上のテーブルに格納される。図１２の例では、テーブルＴ１〜Ｔ４が記憶
部４０１に記憶される。テーブルＴ１は、「ユーザポリシー」のテーブルである。テーブルＴ２は、「トラフィック状況（速度）」のテーブルである。テーブルＴ３は、「トラフィック状況（つながり易さ）」のテーブルである。テーブルＴ４は、「接続料金（コスト）」のテーブルである。テーブルＴ２〜Ｔ４の情報は、モバイルキャリア情報を形成する。
【００９５】
図１２（ａ）は、「ユーザポリシー」のテーブルＴ１の説明図である。テーブル１には、例えば、複数のユーザ（ユーザＸ，Ｙ，Ｚ）についてのユーザポリシーが記憶される。図１２の例では、ユーザＸは、速度を重視（速度がより速くなることを所望）しており、ユーザＹは、コストを重視（料金がより安くなることを所望）している。ユーザＺは、つながり易さを重視（より繋がり易くなることを所望）している。
【００９６】
図１２（ｂ）は、「トラフィック状況（速度）」のテーブル２の説明図である。テーブルＴ２は「通信速度」を示したものであり、１５時の時点ではキャリアＡが５Ｍｂｐｓで、キャリアＢが１０Ｍｂｐｓとなっている。これより、キャリアＢがキャリアＡより速いことが示されている。
【００９７】
図１２（ｃ）は、「トラフィック状況（つながり易さ）」のテーブルＴ３の説明図である。テーブル３は、１５時における「つながり易さ」を示したものであり、グラフの時間が短い程、つながりやすいことを示している。図１２（ｃ）の例では、相手につながるまでの時間について、キャリアＡが９秒であるのに対し、キャリアＢは１５秒であり、キャリアＡがつながりやすいことが示されている。
【００９８】
図１２（ｄ）は、「接続料金」のテーブルＴ４の説明図である。ＭＶＮＯ及び各キャリアＡ，Ｂの「接続料金」を示したものであり、ユーザの接続時間に応じて課金される。図１２（ｄ）の例では、１５時の時点では、キャリアＢの方がキャリアＡより高額であることを示している。
【００９９】
図１２に示すようなテーブルの記憶内容で、切替システム４０において、各ユーザＸ，Ｙ，Ｚの端末２０からの問い合わせに対する切替の要否が判定されるとする。要否判定は、１５時丁度に行われると仮定する。図１３は、判定結果を示す。
【０１００】
ユーザＸのユーザポリシー「速度重視」に基づき、「トラフィック状況（速度）」のテーブルＴ２を参照すると、キャリアＡからキャリアＢへの切替により速度が速くなることが分かる。このため、切替システム４０の判定部４０２Ｂは、切替要と判定する。
【０１０１】
ユーザＹのユーザポリシー「コスト重視」に基づき、「接続料金」のテーブルＴ４を参照すると、キャリアＡからキャリアＢへ切り替えによりコストが上昇することが分かる。このため、切替システム４０の判定部４０２Ｂは、切替不要と判定する。
【０１０２】
ユーザＺのユーザポリシー「つながり易さ重視」に基づき、「トラフィック状況（つながり易さ）」のテーブル３を参照すると、キャリアＡからキャリアＢへ切り替えによってつながりにくくなることが分かる。このため、切替システム４０の判定部４０２Ｂは、切替不要と判定する。よって、図１２及び図１３の例では、ユーザＸ，Ｙ，Ｚのうち、ユーザＸの端末２０に切替指示が送られ、当該端末２０が、キャリアＡへの切替（ｅＳＩＭ３０に対するキャリアＡのキャリア識別子の書き込み）を行う。
【０１０３】
図１４は、適用例における切替システム４０の処理例を示すフローチャートである。図１５，図１６，図１７及び図１８は、上述したテーブルＴ１，テーブルＴ２，テーブルＴ３及びテーブルＴ４のデータ構造例を示す。
【０１０４】
図１５において、テーブルＴ１は、電話番号（ユーザの識別情報）と、契約プラン（ユーザポリシー）とを関連づけたユーザ毎のレコードを記憶する。図１６において、テーブルＴ２は、各エリア情報（市区町村）に関連づけて、キャリアの特定情報と、所定の各時間帯における速度の情報を記憶している。
【０１０５】
図１７において、テーブルＴ３は、エリア情報に関連づけて、キャリアの特定情報と、所定の各時間帯におけるつながりやすさの度合いを示す情報を記憶している。図１８において、テーブルＴ３は、エリア情報に関連づけて、キャリアの特定情報と、所定の各時間帯におけるコスト（接続料金）を示す情報を記憶している。なお、テーブルＴ２，Ｔ３及びＴ４に関して、時間帯の粒度は適宜設定可能である。
【０１０６】
図１４に示す処理は、受付部４０３Ａが、切替判定要求のＳＭＳメッセージを受信し受け付けることを契機として開始される。Ｓ１０１では、検索部４０２Ａは、ＳＭＳメッセージの発信者欄（From欄）に記載された電話番号（端末２０の電話番号）を参照する。
【０１０７】
Ｓ１０２では、検索部４０２Ａは、テーブルＴ１（図１５）に記憶されたユーザポリシー情報を参照する。Ｓ１０３では、検索部４０２Ａは、電話番号に対応するユーザポリシー（契約プラン）が参照できたか否かを判定する。ユーザポリシーが参照できない場合には（Ｓ１０３，Ｎｏ）、図１４の処理が終了する。ユーザポリシーが参照できた場合には（Ｓ１０３，Ｙｅｓ）、処理がＳ１０４へ進む。
【０１０８】
Ｓ１０４では、検索部４０２Ａは、端末の在圏情報を確認する。検索部４０２Ａは、ＨＬＲ／ＨＳＳ８２に端末２０の位置を問い合わせ、端末２０が在圏（所在）しているエリア（市区町村）を確認する。
【０１０９】
Ｓ１０５では、検索部４０２Ａは、例えば、接続料管理システム８３から得た情報で作成したテーブルＴ４を参照し、各キャリアの接続料を、端末２０の位置及び時間について確認する。Ｓ１０６では、検索部４０Ａは、テーブルＴ２，テーブルＴ３を参照し、各キャリアのトラフィック状況（速度、つながり易さ）を、端末２０の位置及び時間について確認する。
【０１１０】
Ｓ１０７では、判定部４０２Ｂは、切替要求における切替候補のキャリアに係るテーブルＴ２，テーブルＴ３，テーブルＴ４の内容を参照する。Ｓ１０８では、判定部４０２Ｂは、ユーザポリシーで重視される項目（速度，コスト，つながり易さ）について、現在のキャリアと切替項候補のキャリアとの比較を行い、切替結果においてより好適となるか否かを判定する。当該判定において、より好適となる場合には、切替要と判定し、そうでなければ、切替不要と判定する（Ｓ１０９）。
【０１１１】
Ｓ１１０では、送信部４０３Ｂは、判定部４０２Ｂの判定結果が切替要か切替不要かを判定する。切替要の場合には、切明要の切替判定通知を、切替判定要求の送信元の電話番号宛てにＳＭＳで通知する（Ｓ１１１）。切替不要の場合には、切明不要の切替判定通知を、切替判定要求の送信元の電話番号宛てにＳＭＳで通知する（Ｓ１１２）。
【０１１２】
このように、切替候補のキャリアへの切替（第１通信事業者の情報への書換）が端末２０（無線端末）のユーザのユーザポリシーに合致する場合に、切替要の旨を含む応答（切替判定通知）が送信され、端末２０で受信される。
【０１１３】
なお、図１４のフローチャートの処理では、検索部４０２Ａがモバイルキャリア情報を参照しており、図１０を用いた説明と異なっている。このように、検索部４０２Ａと判定
部４０２Ｂとの処理分担及び処理内容は、適宜変更可能である。また、図１４のＳ１１１，Ｓ１１２の処理では、サーバ４０ａを用いず、切替システム４０が、切替判定要求の送信元の端末２０に判定結果（切替判定通知）を送っている。
【０１１４】
＜実施形態の効果＞
実施形態によれば、メッセージ種別“プロファイル書換要求”を含むＥＴＷＳ信号を基地局を介して端末２０に送り、端末２０がプロファイル書換要求に対応する切替候補のキャリアへの切替を行う。これによって、ユーザの手を煩わせず、自動的にキャリアの切替を行うことができ、ユーザのプロファイル情報の書換に係る手間を低減することができる。
【０１１５】
また、ユーザがユーザポリシーを事前登録することで、キャリア切替によって、端末２０がユーザポリシーに基づく好適な環境となる場合に、切替システム４０が、キャリア切替を判定することができる。よって、端末２０のユーザに対し、より好適な通信環境を提供することが可能となる。
【０１１６】
なお、実施形態では、切替システム４０がキャリア切替の要否を判定していたが、端末２０がユーザポリシー及びモバイルキャリア情報をネットワークからダウンロードして、切替要否の判定を行うようになっていても良い。
【０１１７】
また、実施形態では、ユーザポリシーとして、速度、つながり易さ、コストのうちの優先順位一位の項目がキャリア切替により好適となる場合に切替要と判定していた。これに代えて、各項目に優先順位を設けておき、優先順位の全て、優先順位の上位から所定順位（例えば２位）までが切替により好適となることを切替要の条件としても良い。或いは、或る優先順位までの項目で、何れか一つの項目が切替によって好適となる場合に切替要と判定するようにしても良い。以上説明した実施形態の構成は、適宜組み合わせることができる。
【符号の説明】
【０１１８】
１０・・・同報配信システム
１１，１２・・・基地局
２０・・・無線端末
３０・・・ｅＳＩＭ
４０・・・切替システム
５０・・・情報処理装置
５１・・・ＣＰＵ
５２・・・主記憶装置
５３・・・補助記憶装置
５４・・・入力装置
５５・・・出力装置
５６・・・通信インタフェース
１０１・・・プロファイル書換要求の入力部
１０２・・・制御部
１０３・・・同報配信メッセージの生成部
１０４・・・プロファイル書換要求の配信部１０４
２０１・・・無線通信回路
２０２・・・装着部
２０１Ａ・・・同報配信メッセージの受付部
２０１Ｂ・・・切替システムＩＦ
２０３・・・モバイルキャリアの切替制御部
２０２Ａ・・・ｅＳＩＭ−ＩＦ
４０１・・・記憶部
４０２・・・制御部
４０２Ａ・・・ユーザポリシーの検索部
４０２Ｂ・・・モバイルキャリアの切替判定部
４０３・・・ＩＦ部
４０３Ａ・・・切替判定要求の受付部
４０３Ｂ・・・切替判定通知の送信部
【図１】
2017103640.tif 000003
【図２】
2017103640.tif 000004
【図３】
2017103640.tif 000005
【図４】
2017103640.tif 000006
【図５】
2017103640.tif 000007
【図６】
2017103640.tif 000008
【図７】
2017103640.tif 000009
【図８】
2017103640.tif 000010
【図９】
2017103640.tif 000011
【図１０】
2017103640.tif 000012
【図１１】
2017103640.tif 000013
【図１２】
2017103640.tif 000014
【図１３】
2017103640.tif 000015
【図１４】
2017103640.tif 000016
【図１５】
2017103640.tif 000017
【図１６】
2017103640.tif 000018
【図１７】
2017103640.tif 000019
【図１８】
2017103640.tif 000020